(57)【要約】【課題】近年求められる程度の高い発色性を満足できる、青空や水中画像等のモニタ画像を再現するのに有効な、発色性に優れたインクの提供。【解決方法】銅フタロシアニン染料を含むインクにおいて、下記一般式（１）で表されるキサンテン染料を少なくとも１種含有するインク。2008094898.tif 000032【選択図】なし【特許請求の範囲】
【請求項１】
銅フタロシアニン染料を含むインクにおいて、下記一般式（１）で表されるキサンテン染料を少なくとも１種含有することを特徴とするインク。
2008094898.tif 000030
（式（１）中、Ｚ1乃至Ｚ4はそれぞれ独立に、水素原子、ハロゲン原子、ヒドロキシル基、アルキル基、アルコキシ基、トリフルオロメチル基、カルボキシル基、スルホン酸基、置換していてもよいアミド基から選択される何れかを表す。Ｍは、水素原子、アルカリ金属イオン、アンモニウムイオンから選択される何れかを表す。）
【請求項２】
一般式（１）のキサンテン染料が一般式（２）で表されるキサンテン染料である請求項１に記載のインク。
2008094898.tif 000031
（式（２）中、Ｚ5及びＺ6はカルボキシル基を表し、又、Ｚ7及びＺ8はそれぞれ独立に、水素原子、ハロゲン原子、ヒドロキシル基、アルキル基、アルコキシ基、トリフルオロメチル基、カルボキシル基、スルホン酸基及び置換していてもよいアミド基から選択される何れかを表す。又、Ｍは、水素原子、アルカリ金属イオン、アンモニウムイオンから選択される何れかを表す。）
【請求項３】
キサンテン染料の含有量（Ａ）と銅フタロシアニン染料の含有量（Ｂ）比（Ａ：Ｂ）が０．２：１乃至４：１である請求項１又は２に記載のインク。
【請求項４】
インクジェット記録に用いられる、シアン、マゼンタ及びイエローから選択される何れかのインクと、ブルーインクとを少なくとも組み合わせてなるインクセットであって、該ブルーインクが、請求項１乃至３の何れか１項に記載のインクであることを特徴とするインクセット。
【請求項５】
インクを記録信号に応じてオリフィスから吐出させて記録媒体上に記録を行うインクジェット記録方法において、該インクが、請求項１乃至３の何れか１項に記載のインクであることを特徴とするインクジェット記録方法。
【請求項６】
インクを収容したインク収容部を備えたインクカートリッジにおいて、該インクが、請求項１乃至３の何れか１項に記載のインクであることを特徴とするインクカートリッジ。
【発明の詳細な説明】
【技術分野】
【０００１】
本発明は、インクジェット記録用インクとして好適な、色再現性、耐光性に優れたインク、及びこれを用いるインクセット、インクジェット記録方法、及びインクカートリッジに関する。
【背景技術】
【０００２】
従来より、インクジェット記録方法を用いたカラー記録には、それぞれの色調を有する染料を水溶性媒体中に溶解させた水性のカラーインクが用いられている。それらのカラーインクは、数ある色材の中から最適なものを選択し、カラー色調が調整されている。カラー記録に用いるカラーインクとしては、一般的には、シアン、マゼンタ及びイエローの３色が用いられている。近年では、ＲＧＢ画像を忠実に再現するために、上記の３原色に加えて、発色性に優れたレッド、グリーン及びブルーインク等の特色を用いるインクジェット印刷方法が提案され、実施されている。特色の中でもブルーインクは、青空や水中画像等のモニタ画像を再現するのに有効であり、用いられることが多くなっている。
【０００３】
この際に用いられるブルーインクとしては、一つの色材で構成されている場合もある（特許文献１及び２参照）。しかしながら、このような形態のブルーインクでは、近年求められている発色性を十分に実現できる優れた発色性を有するものは未だ開発されていない。そのため、ブルーインクは、シアンとマゼンタの２種類の色材、或いはそれ以上の数の色材によって構成されている場合が多い（例えば、特許文献３〜５参照）。例えば、特許文献５では、カラー記録に共に用いるシアンインクに含有されているシアン色材と、共に用いるマゼンタインクには含有されていないキサンテン構造を有するマゼンタ色材とを含有してなるブルーインクが開示されている。
【０００４】
しかし、従来よりインクジェット用インクとして用いられているシアン及びマゼンタの２種類のインクを組み合わせた場合であっても、近年要求されるブルー画像の発色性に対しては、まだ不十分である。一方、近年におけるインクジェット記録方法の利用の拡大に伴い、画像堅牢性に対する要求も更に高まっており、ブルーインクにおいても、耐光性等の堅牢性に優れたものが求められている。
【０００５】
【特許文献１】特開平９−１１１６７３号公報
【特許文献２】特開２００４−２５０６０６公報
【特許文献３】特開２００１−２２０５２９公報
【特許文献４】特開２００２−２２０５５５公報
【特許文献５】特開２０００−２７３３７４公報
【発明の開示】
【発明が解決しようとする課題】
【０００６】
前記したように、青空や水中画像等のモニタ画像を再現するのに有効であるため、ブルーインクに対しては発色性に優れているものが特に求められている。しかしながら、特色インクとして使用するブルーインクにおいては、少なくとも、共に用いるシアンインク及びマゼンタインクの重ね印字で得られるブルー色よりも発色性に優れていないと、実画像での効果が見られない。そのため、より発色性に優れたブルーインクの開発が強く求められている。
【０００７】
一方、画像堅牢性においては、特に光劣化に対しての向上が強く求められている。これは、発色性の良いキサンテン染料で環境ガスによる劣化に強いものは今までにも報告されているが、光劣化に強いものは未だ知られていないためである。即ち、従来のキサンテン染料をブルーインク用のマゼンタ染料として用いて画像形成を行った場合に、キサンテン染料の光による褪色が顕著に現れてしまうためである。
【０００８】
前記した特許文献５には、耐光性の向上を目的としたブルーインクが開示されている。しかしながら、実施例で開示されているものも含めて、近年望まれている程度に高い発色性を有するブルーインクを開示したものではない。
【０００９】
そこで、本発明の第１の課題は、近年求められる程度の高い発色性を満足できる、青空や水中画像等のモニタ画像を再現するのに有効な、発色性に優れた水性ブルーインクを提供することである。又、本発明の第２の課題は、上記の課題に加えて、更に耐光性にも優れた水性ブルーインクを提供することである。更に、本発明の第３の課題は、それらのインクを用いた発色性及び堅牢性に優れた画像を与えることのできるインクジェット記録方法を提供することである。
【課題を解決するための手段】
【００１０】
上記目的の達成のために本発明者らはブルーインクの検討を行ってきた。先ず、１つの色材で良好なブルーインクとなる染料を探索したが、課題を達成したものは見当たらなかった。次に、２つの色材を組み合わせたブルーインクの検討を数多く行った。すると、驚くべきことに、特定のキサンテン染料と銅フタロシアニン染料とを組み合わせることにより、夫々の染料を単独で用いた場合には表現し得ない色域の表現を可能とできること（発色性における相乗効果）を見出した。更に、鋭意検討を重ねた結果、特定のキサンテン染料と特定の銅フタロシアニン染料を組み合わせることにより、発色性における相乗効果がより顕著であるということを見出した。
【００１１】
具体的には、以下に示す通りであり、前記した課題は、下記の本発明によって達成される。即ち、本発明は、銅フタロシアニン染料を含むインクにおいて、下記一般式（１）で表されるキサンテン染料を少なくとも１種含有することを特徴とするインクである。
2008094898.tif 000002
（式（１）中、Ｚ1乃至Ｚ4はそれぞれ独立に、水素原子、ハロゲン原子、ヒドロキシル基、アルキル基、アルコキシ基、トリフルオロメチル基、カルボキシル基、スルホン酸基、置換していてもよいアミド基から選択される何れかを表す。Ｍは、水素原子、アルカリ金属イオン、アンモニウムイオンから選択される何れかを表す。）
【００１２】
又、本発明のより好ましい形態としては、上記一般式（１）で表されるキサンテン染料のうち、特定構造のものとしたものが挙げられるが、かかる形態によって、より高いレベルで発色性と堅牢性の両立が可能となる。
【００１３】
具体的には、上記一般式（１）で表されるキサンテン染料のうち、下記一般式（２）で表されるキサンテン染料であるインクである。
2008094898.tif 000003
（式（２）中、Ｚ5及びＺ6はカルボキシル基を表し、又、Ｚ7及びＺ8はそれぞれ独立に、水素原子、ハロゲン原子、ヒドロキシル基、アルキル基、アルコキシ基、トリフルオロメチル基、カルボキシル基、スルホン酸基及び置換していてもよいアミド基から選択される何れかを表す。又、Ｍは、水素原子、アルカリ金属イオン、アンモニウムイオンから選択される何れかを表す。）
又、本発明のより好ましい形態としては、キサンテン染料の含有量（Ａ）と銅フタロシアニン染料の含有量（Ｂ）比（Ａ：Ｂ）が０．２：１乃至４：１である上記何れかのインクである。
【００１４】
又、本発明の別の実施形態は、下記のものが挙げられる。インクジェット記録に用いられる、シアン、マゼンタ及びイエローから選択される何れかのインクと、ブルーインクとを少なくとも組み合わせてなるインクセットであって、該ブルーインクが、上記何れかのインクであることを特徴とするインクセット；
インクを記録信号に応じてオリフィスから吐出させて記録媒体上に記録を行うインクジェット記録方法において、該インクが、上記何れかのインクであることを特徴とするインクジェット記録方法；
インクを収容したインク収容部を備えたインクカートリッジにおいて、該インクが、上記何れかのインクであることを特徴とするインクカートリッジである。
【００１５】
上記構成からなる本発明のインクセット、インクジェット記録方法、インクカートリッジによれば、それぞれに本発明のインクを用いることで、記録媒体上に画像を形成した場合に、発色性に優れた記録画像を得ることができる。更に、本発明のインクセット、インクジェット記録方法、インクカートリッジによれば、耐光性にも優れた記録画像を得ることができる。
【発明の効果】
【００１６】
本発明にかかる一実施形態によれば、インクジェット用インクとして良好な発色性・色再現性を有し、且つ、耐光性等の堅牢性に優れたブルーインクが提供される。又、そのブルーインクを用いたインクセット、インクカートリッジ、インクジェット記録方法が提供される。
【発明を実施するための最良の形態】
【００１７】
以下に、本発明を実施するための最良の形態を説明する。尚、本発明においては、染料が塩である場合は、インク中ではイオンに解離して存在しているが、便宜上、「塩を含有する」と表現する。
【００１８】
《ブルーインク》
本発明のブルーインクは、銅フタロシアニン染料を少なくとも１種と、下記一般式（１）で示されるキサンテン染料を含むことを特徴としている。例えば、インクジェット記録用のインクとする場合には、これらの色材を、水及び水溶性有機溶剤に溶解或いは分散させて水性インクとする。
【００１９】
〔色材〕
＜キサンテン染料＞
本発明で使用するキサンテン染料に求められる性能は、銅フタロシアニン染料と混合してインクとした際に、相乗効果が認められるものであり、更に良好な耐光性と発色性を発現するものである。本発明者らが検討した結果、上記の特性は、下記一般式（１）で示されるキサンテン染料を使用することで達成される。一般式（１）に示されるように、アミノ基に対してＯ位にカルボキシル基等の水素結合性置換基を有することで、キサンテン分子構造の形が安定化し、平面構造を取り難くなる。そのため、キサンテン染料同士の会合が阻害されるのは勿論のこと、銅フタロシアニン染料の会合も阻害される。この結果、染料分子が各々分散して存在できるようになり、より発色性が向上したものと推測される。
【００２０】
2008094898.tif 000004
【００２１】
（式（１）中、Ｚ1乃至Ｚ4はそれぞれ独立に、水素原子、ハロゲン原子、ヒドロキシル基、アルキル基、アルコキシ基、トリフルオロメチル基、カルボキシル基、スルホン酸基、置換していてもよいアミド基から選択される何れかを表す。Ｍは、水素原子、アルカリ金属イオン、アンモニウムイオンから選択される何れかを表す。）
【００２２】
一般式（１）で示される色材に関しては、更なる検討によれば、下記一般式（２）で表されるキサンテン化合物が特に好ましく用いられる。又、これらを２種以上混合して用いることも可能である。一般的に、キサンテン染料の劣化は、アミノ基の部分が切断されることにより進行すると考えられている。このキサンテン化合物は、一般式（２）で示されるように、２位、６位にカルボキシル基である水素結合性置換基を有し、アミノ基が両側からの水素結合により保護されることとなるため、劣化しにくくなり、耐光性が大幅に向上すると推測される。
【００２３】
2008094898.tif 000005
（式（２）中、Ｚ5及びＺ6はカルボキシル基を表し、又、Ｚ7及びＺ8はそれぞれ独立に、水素原子、ハロゲン原子、ヒドロキシル基、アルキル基、アルコキシ基、トリフルオロメチル基、カルボキシル基、スルホン酸基及び置換していてもよいアミド基から選択される何れかを表す。又、Ｍは、水素原子、アルカリ金属イオン、アンモニウムイオンから選択される何れかを表す。）
【００２４】
上記一般式（１）又は（２）で示されるキサンテン染料の具体例を以下に示すが、本発明に用いられるキサンテン化合物は、下記の例に限定されるものではない。尚、下記例示化合物は、遊離酸の形で記載した。
【００２５】
2008094898.tif 000006
【００２６】
2008094898.tif 000007
【００２７】
2008094898.tif 000008
【００２８】
2008094898.tif 000009
【００２９】
2008094898.tif 000010
【００３０】
2008094898.tif 000011
【００３１】
2008094898.tif 000012
【００３２】
2008094898.tif 000013
【００３３】
2008094898.tif 000014
【００３４】
2008094898.tif 000015
【００３５】
上記した中でも、例示化合物１及び例示化合物２が、その発色性と耐光性のバランスから好適であり、例示化合物２が最も好適な化合物である。
【００３６】
＜フタロシアニン染料＞
本発明で使用する銅フタロシアニン染料としては、Ｃ．Ｉ．ダイレクトブルー１９９等、既存のものも含めて何れでも使用可能だが、特に好ましくは、下記一般式（３）、及び（４）で表される化合物が挙げられる。これらの化合物は特に、堅牢性、発色性に優れており、キサンテン染料と混合した際の効果が大きいためである。これらの色材の使用に関しては、一般式（３）及び（４）で表されるフタロシアニン化合物から選択して１種単独で又は２種以上を混合して用いることも可能である。
【００３７】
（Ａ）一般式（３）で表される化合物
2008094898.tif 000016
（上記一般式（３）中、ｌ＝０乃至２、ｍ＝１乃至３、ｎ＝１乃至３、但し、ｌ＋ｍ＋ｎ＝３乃至４、置換基の置換位置は、４若しくは４’位を表し、Ｍはアルカリ金属又はアンモニウムであり、Ｒ1、Ｒ2は、それぞれ独立に、水素原子、スルホ基、カルボキシル基（但し、Ｒ1、Ｒ2は、同時に水素原子となる場合を除く。）を表し、Ｙは、塩素原子、ヒドロキシル基、アミノ基、置換基を有してもよいモノ又はジアルキルアミノ基を表す。）
【００３８】
上記一般式（３）で表される化合物は、４−スルホフタル酸誘導体、又は、４−スルホフタル酸誘導体と（無水）フタル酸誘導体を金属化合物の存在下に反応させることで得られるフタロシアニン化合物を原料に用い、下記のようにして合成することができる。即ち、上記原料中のスルホ基をクロロスルホン基に変換した後、有機アミン存在下にアミノ化剤を反応させたフタロシアニン化合物、即ち、上記一般式（３）中の４及び４’位置に限定して無置換スルファモイル基（−ＳＯ2ＮＨ2）と置換スルファモイル基（下記式（５））を導入したフタロシアニン化合物であるという特徴を持ち、かかる化合物を色材として用いたインクが極めて耐環境ガス性に優れていることを見出した。
【００３９】
2008094898.tif 000017
【００４０】
上記式（５）で示される置換スルファモイル基の具体例を以下に示すが、本発明に用いられるフタロシアニン染料は、下記の例に限定されるものではない。尚、上記式（５）は遊離酸の形で記した。
【００４１】
2008094898.tif 000018
【００４２】
2008094898.tif 000019
【００４３】
2008094898.tif 000020
【００４４】
2008094898.tif 000021
【００４５】
2008094898.tif 000022
【００４６】
2008094898.tif 000023
【００４７】
2008094898.tif 000024
【００４８】
中でも、上記例示化合物１１を置換基として有する前記一般式（３）の化合物が、その発色性と耐環境ガス性のバランスから最も好適な化合物である。
【００４９】
（Ｂ）一般式（４）で表される化合物
2008094898.tif 000025
（上記一般式（４）中、Ｍはスルホン酸基の対イオンであり、水素原子、アルカリ金属、アンモニウム或いは有機アンモニウムの何れかを表す。）
【００５０】
上記式（４）で表される化合物の具体例を以下に示すが、本発明に用いられるフタロシアニン染料は、下記の例に限定されるものではない。
【００５１】
2008094898.tif 000026
【００５２】
＜キサンテン染料とフタロシアニン染料との使用比率＞
インク中のキサンテン染料（Ａ）と銅フタロシアニン染料（Ｂ）の含有量比は、発色性の観点から考えて、Ａ：Ｂ＝０．２：１乃至４：１（Ａ／Ｂ＝０．２乃至４．０）の比率が効果的である。キサンテン染料の含有量比がこれよりも少ない場合（Ａ／Ｂが０．２未満）には、色材に占めるキサンテン染料の比率が小さ過ぎて、混合したことによる相乗効果が得られにくい。一方、キサンテン染料の含有量比がこれよりも多い場合（Ａ／Ｂが４．０より大）にも、色材に占める銅フタロシアニン染料の比率が小さ過ぎて、発色性の相乗効果が得られにくい。
【００５３】
＜その他の色材＞
又、本発明のインクには、調色等の目的のため、更に別の色材を含有させることもできる。その例を以下に挙げるが、これらに限定されるわけではない。
（イエロー色材）
Ｃ．Ｉ．ダイレクトイエロー：８、１１、１２、２７、２８、３３、３９、４４、５０、５８、８５、８６、８７、８８、８９、９８、１００、１１０、１３２、１７３等
Ｃ．Ｉ．アシッドイエロー：１、３、７、１１、１７、２３、２５、２９、３６、３８、４０、４２、４４、７６、９８、９９等
Ｃ．Ｉ．ピグメントイエロー：１、２、３、１２、１３、１４、１５、１６、１７、７３、７４、７５、８３、９３、９５、９７、９８、１１４、１２８、１３８、１８０等
【００５４】
（マゼンタ色材）
Ｃ．Ｉ．ダイレクトレッド：２、４、９、１１、２０、２３、２４、３１、３９、４６、６２、７５、７９、８０、８３、８９、９５、１９７、２０１、２１８、２２０、２２４、２２５、２２６、２２７、２２８、２２９、２３０等
Ｃ．Ｉ．アシッドレッド：６、８、９、１３、１４、１８、２６、２７、３２、３５、４２、５１、５２、８０、８３、８７、８９、９２、１０６、１１４、１１５、１３３、１３４、１４５、１５８、１９８、２４９、２６５、２８９等
Ｃ．Ｉ．フードレッド：８７、９２、９４等
Ｃ．Ｉ．ダイレクトバイオレット：１０７等
Ｃ．Ｉ．ピグメントレッド：２、５、７、１２、４８：２、４８：４、５７：１、１１２、１２２、１２３、１６８、１８４、２０２等
【００５５】
（シアン色材）
Ｃ．Ｉ．ダイレクトブルー：１、１５、２２、２５、４１、７６、８０、９０、９８、１０６、１０８、１２０、１５８、１６３、１６８、２２６等
Ｃ．Ｉ．アシッドブルー：１、７、１５、２２、２３、２５、２９、４０、４３、５９、６２、７４、７８、８０、９０、１００、１０２、１０４、１１７、１２７、１３８、１５８、１６１、２０３、２０４、２４４等
Ｃ．Ｉ．ピグメントブルー：１、２、３、１５、１５：２、１５：３、１５：４、１６、２２、６０等
【００５６】
（オレンジ色材）
Ｃ．Ｉ．アシッドオレンジ：７、８、１０、１２、２４、３３、５６、６７、７４、８８、９４、１１６、１４２等
Ｃ．Ｉ．アシッドレッド：１１１、１１４、２６６、３７４等
Ｃ．Ｉ．ダイレクトオレンジ：２６、２９、３４、３９、５７、１０２、１１８等
Ｃ．Ｉ．フードオレンジ：３等
Ｃ．Ｉ．リアクティブオレンジ：１、４、５、７、１２、１３、１４、１５、１６、２０、２９、３０、８４、１０７等
Ｃ．Ｉ．ディスパースオレンジ：１、３、１１、１３、２０、２５、２９、３０、３１、３２、４７、５５、５６等
Ｃ．Ｉ．ピグメントオレンジ：４３等
Ｃ．Ｉ．ピグメントレッド：１２２、１７０、１７７、１９４、２０９、２２４等
【００５７】
（グリーン色材）
Ｃ．Ｉ．アシッドグリーン：１、３、５、６、９、１２、１５、１６、１９、２１、２５、２８、８１、８４等
Ｃ．Ｉ．ダイレクトグリーン：２６、５９、６７等
Ｃ．Ｉ．フードグリーン：３等
Ｃ．Ｉ．リアクティブグリーン：５、６、１２、１９、２１等
Ｃ．Ｉ．ディスパースグリーン：６、９等
Ｃ．Ｉ．ピグメントグリーン：７、３６等
【００５８】
（ブルー色材）
Ｃ．Ｉ．アシッドブルー：６２、８０、８３、９０、１０４、１１２、１１３、１４２、２０３、２０４、２２１、２４４等
Ｃ．Ｉ．リアクティブブルー：４９等
Ｃ．Ｉ．アシッドバイオレット：１７、１９、４８、４９、５４、１２９等
Ｃ．Ｉ．ダイレクトバイオレット：９、３５、４７、５１、６６、９３、９５、９９等
Ｃ．Ｉ．リアクティブバイオレット：１、２、４、５、６、８、９、２２、３４、３６等
Ｃ．Ｉ．ディスパースバイオレット：１、４、８、２３、２６、２８、３１、３３、３５、３８、４８、５６等
Ｃ．Ｉ．ピグメントブルー：１５：６等
Ｃ．Ｉ．ピグメントバイオレット：１９、２３、３７等
【００５９】
（ブラック色材）
Ｃ．Ｉ．ダイレクトブラック：１７、１９、２２、３１、３２、５１、６２、７１、７４、１１２、１１３、１５４、１６８、１９５等
Ｃ．Ｉ．アシッドブラック：２、４８、５１、５２、１１０、１１５、１５６等
Ｃ．Ｉ．フードブラック：１、２等
カーボンブラック等。
【００６０】
〔水溶性有機溶剤及び添加剤〕
又、本発明のインクは、先に説明した特定のキサンテン染料と銅フタロシアニン化合物とを含むことを特徴とするが、例えば、インクジェット用のインクとする場合には、水性媒体に、これらの色材を溶解或いは分散させる。水性媒体としては、水、及び、水溶性有機溶剤との混合媒体を使用することが好ましい。好ましい水溶性有機溶剤としては、下記のものが挙げられる。例えば、エタノール、イソプロパノール、ｎ−ブタノール、イソブタノール、第二ブタノール、第三ブタノール等のＣ１乃至Ｃ４アルカノール；
Ｎ，Ｎ−ジメチルホルムアミド又はＮ，Ｎ−ジメチルアセトアミド等のカルボン酸アミド；
アセトン、メチルエチルケトン、２−メチル−２−ヒドロキシペンタン−４−オン等のケトン、又は、ケトアルコール、テトラヒドロフラン、ジオキサン等の環状エーテル；
グリセリン、エチレングリコール、ジエチレングリコール、トリエチレングリコール、テトラエチレングリコール、１，２−又は１，３−プロピレングリコール、１，２−又は１，４−ブチレングリコール、ポリエチレングリコール；
１，３−ブタンジオール、１，５−ペンタンジオール、１，２−ヘキサンジオール、１，６−ヘキサンジオール；
ジチオグリコール、２−メチル−１，３−プロパンジオール、１，２，６−ヘキサントリオール、アセチレングリコール誘導体、トリメチロールプロパン等のような多価アルコール類；
エチレングリコールモノメチル（或いはエチル）エーテル、ジエチレングリコールモノメチル（或いはエチル）エーテル、トリエチレングリコールモノエチル（又はブチル）エーテル等の多価アルコールのアルキルエーテル類；
２−ピロリドン、Ｎ−メチル−２−ピロリドン、１，３−ジメチル−２−イミダゾリジノン、Ｎ−メチルモルホリン等の複素環類、ジメチルスルホキシド等の含硫黄化合物、尿素、及び、尿素誘導体等が好適な例として挙げられる。
【００６１】
〔添加剤〕
又、本発明のインクには、これ以外に、必要に応じて、界面活性剤、ｐＨ調整剤、キレート剤、防錆剤、防腐剤、防黴剤、紫外線吸収剤、粘度調整剤、消泡剤、及び、水溶性ポリマー等、種々の添加剤を含有させてもよい。
【００６２】
（界面活性剤）
界面活性剤としては、例えば、アニオン界面活性剤、両性界面活性剤、カチオン界面活性剤、ノニオン界面活性剤等を使用することができる。具体的に使用できる界面活性剤としては、下記のものが挙げられる。
【００６３】
アニオン界面活性剤としては、例えば、アルキルスルホカルボン酸塩、α−オレフィンスルホン酸塩、ポリオキシエチレンアルキルエーテル酢酸塩、Ｎ−アシルアミノ酸及びその塩、Ｎ−アシルメチルタウリン塩；
アルキル硫酸塩ポリオキシアルキルエーテル硫酸塩、アルキル硫酸塩ポリオキシエチレンアルキルエーテル燐酸塩、ロジン酸石鹸；
ヒマシ油硫酸エステル塩、ラウリルアルコール硫酸エステル塩、アルキルフェノール型燐酸エステル、アルキル型燐酸エステル、アルキルアリルスルホン塩酸、ジエチルスルホ琥珀酸塩、ジエチルヘキシルスルホ琥珀酸ジオクチルスルホ琥珀酸塩等が挙げられる。
【００６４】
カチオン界面活性剤としては、２−ビニルピリジン誘導体、ポリ４−ビニルピリジン誘導体等が挙げられる。
【００６５】
両性界面活性剤としては、ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、その他イミダゾリン誘導体等が挙げられる。
【００６６】
ノニオン界面活性剤としては、ポリオキシエチレンノニルフェニルエーテル、ポリオキシエチレンオクチルフェニルエーテル、ポリオキシエチレンドデシルフェニルエーテル、
ポリオキシエチレンラウリルエーテル、ポリオキシエチレンオレイルエーテル、ポリオキシエチレンアルキルエーテル、ポリオキシアリルキルアルキルエーテル等のエーテル系；
ポリオキシエチレンオレイン酸、ポリオキシエチレンオレイン酸エステル、ポリオキシエチレンジステアリン酸エステル、
ソルビタンラウレート、ソルビタンモノステアレート、ソルビタンモノオレエート、ソルビタンセスキオレエート、ポリオキシエチレンモノオレエート、ポリオキシエチレンステアレート等のエステル系；
２，４，７，９−テトラメチル−５−デシン−４，７−ジオール、３，６−ジメチル−４−オクチン−３，６−ジオール、３，５−ジメチル−１−ヘキシン−３−オール等のアセチレングリコール系が挙げられる。
市販されているアセチレングリコール系のノニオン界面活性剤としては、例えば、川研ファインケミカル製のアセチレノールＥＨ、日信化学製のサーフィノール１０４、８２、４６５、オルフィンＳＴＧ等が挙げられる。
【００６７】
（ｐＨ調整剤）
ｐＨ調整剤としては、インクのｐＨを所定の範囲に制御できるものであれば任意の物質を使用できる。例えば、ジエタノールアミン、トリエタノールアミン、イソプロパノールアミン、トリスヒドロキシメチルアミノメタン等のアルコールアミン化合物；
水酸化リチウム、水酸化カリウム等のアルカリ金属の水酸化物、水酸化アンモニウム、或いは炭酸リチウム、炭酸ナトリウム、炭酸カリウム等のアルカリ金属の炭酸塩等が挙げられる。
【００６８】
（防腐、防黴剤）
防腐、防黴剤としては、例えば、有機硫黄系、有機窒素硫黄系、有機ハロゲン系、ハロアリルスルホン系、ヨードプロパギル系、Ｎ−ハロアルキルチオ系、ベンツチアゾール系、ニトチリル系、ピリジン系、８−オキシキノリン系、
ベンゾチアゾール系、イソチアゾリン系、ジチオール系、ピリジンオキシド系、ニトロプロパン系、有機スズ系、フェノール系、第４アンモニウム塩系、トリアジン系、チアジアジン系、アニリド系、アダマンタン系、
ジチオカーバメイト系、ブロム化インダノン系、ベンジルブロムアセテート系、無機塩系等の化合物が挙げられる。
【００６９】
有機ハロゲン系化合物としては、例えば、ペンタクロロフェノールナトリウムが挙げられ、ピリジンオキシド系化合物としては、例えば、２−ピリジンチオール−１−オキサイドナトリウムが挙げられる。無機塩系化合物としては、例えば、無水酢酸ソーダが挙げられる。イソチアゾリン系化合物としては、例えば１，２−ベンズイソチアゾリン−３−オン、２−ｎ−オクチル−４−イソチアゾリン−３−オン、５−クロロ−２−メチル−４−イソチアゾリン−３−オン、
５−クロロ−２−メチル−４−イソチアゾリン−３−オンマグネシウムクロライド、５−クロロ−２−メチル−４−イソチアゾリン−３−オンカルシウムクロライド等が挙げられる。その他の防腐防黴剤としては、ソルビン酸ソーダ安息香酸ナトリウム等、例えば、アベシア製プロキセルＧＸＬ（Ｓ）、プロキセルＸＬ−２（Ｓ）等が挙げられる。
【００７０】
（キレート剤）
キレート剤としては、例えば、クエン酸ナトリウム、エチレンジアミン四酢酸ナトリウム、二ニトロ三酢酸ナトリウム、ヒドロキシエチルエチレンジアミン三酢酸ナトリウム、ジエチレントリアミン五酢酸ナトリウム、ウラミル二酢酸ナトリウム等が挙げられる。
【００７１】
（防錆剤）
防錆剤としては、例えば、酸性亜硫酸塩、チオ硫酸ナトリウム、チオグリコール酸アンモニウム、ジイソプロピルアンモニウムナイトライト、四硝酸ペンタエリスリトール、ジシクロヘキシルアンモニウムナイトライト等が挙げられる。
【００７２】
（紫外線吸収剤）
紫外線吸収剤としては、例えば、ベンゾフェノン系化合物、ベンゾトリアゾール系化合物、桂皮酸系化合物、トリアジン系化合物、スチルベン系化合物；
又は、ベンズオキサゾール系化合物に代表される紫外線を吸収して蛍光を発する化合物、いわゆる蛍光増白剤も用いることができる。
【００７３】
（粘度調整剤・消泡剤）
粘度調整剤としては、水溶性有機溶剤の他に、水溶性高分子化合物が挙げられ、例えばポリビニルアルコール、セルロース誘導体、ポリアミン、ポリイミン等が挙げられる。消泡剤としては、フッ素系、シリコーン系化合物が必要に応じて用いられる。
【００７４】
《インクカートリッジ》
本発明のインクカートリッジは、上記で説明した本発明のインクをインク収容部に収容してなる。従って、本発明のインクが収容されるインク収容部を有するインクカートリッジであれば何れの構造のものであってもよい。以下に本発明のインクを用いて記録を行うのに好適なインクカートリッジの具体例を示す。
【００７５】
図１は、本発明のインクを用いて記録を行うのに好適なインクカートリッジである液体収納容器の概略説明図であり、断面図である。図１中、液体収納容器（インクタンク）は、上部で大気連通口１１２を介して大気に連通し下部でインク供給口に連通し内部に負圧発生部材を収容する負圧発生部材収納室１３４と、液体のインクを収容する実質的に密閉された液体収納室１３６とに仕切壁１３８でもって仕切られている。そして、負圧発生部材収納室１３４と液体収納室１３６とは、液体収納容器（インクタンク）底部付近で仕切壁１３８に形成された連通孔１４０及び液体供給動作時に液体収納室への大気の導入を促進するための大気導入溝（大気導入路）１５０を介してのみ連通されている。負圧発生部材収納室１３４を画成する液体収納容器（インクタンク）の上壁には、内部に突出する形態で複数個のリブが一体に成形され、負圧発生部材収納室１３４に圧縮状態で収容される負圧発生部材と当接している。このリブにより、上壁と負圧発生部材の上面との間にエアバッファ室が形成されている。又、液体供給口１１４を備えたインク供給筒には、負圧発生部材より毛管力が高く且つ物理的強度の強い圧接体１４６が設けられており、負圧発生部材と圧接している。
【００７６】
例示した負圧発生部材収納室内には、負圧発生部材として、ポリエチレン等、オレフィン系樹脂の繊維からなる第一の負圧発生部材１３２Ｂ及び第二の負圧発生部材１３２Ａの２つの毛管力発生型負圧発生部材を収納している。１３２Ｃはこの２つの負圧発生部材の境界層であり、境界層１３２Ｃの仕切壁１３８との交差部分は、連通部を下方にした液体収納容器の使用時の姿勢において大気導入溝（大気導入路）１５０の上端部より上方に存在している。又、負圧発生部材内に収容されているインクは、インクの液面Ｌで示されるように、上記境界層１３２Ｃよりも上方まで存在している。
【００７７】
ここで、第一の負圧発生部材と第二の負圧発生部材の境界層は圧接しており、負圧発生部材の境界層近傍は他の部位と比較して圧縮率が高く、毛管力が強い状態となっている。即ち、第一の負圧発生部材の毛管力をＰ１、第二の負圧発生部材の持つ毛管力をＰ２、負圧発生部材同士の界面の持つ毛管力をＰＳとすると、Ｐ２＜Ｐ１＜ＰＳとなっている。
【００７８】
図２は、本発明のインクを用いて記録を行うのに好適な、更に別のインクカートリッジである液体収納容器の概略説明図であり、断面図である。例示したインクカートリッジは、イエロー（Ｙ）、マゼンタ（Ｍ）、シアン（Ｃ）の３色のインクを収容する容器４１と、容器４１を覆う蓋部材４２とを有する。容器４１の内部は、３色のインクを収容するために、互いに平行に配置された２つの仕切板４１１、４１２により、容量がほぼ等しい３つの空間に仕切られる。これら３つの空間は、互いにインクタンクホルダへカラーインクタンクを装着する際のカラーインクタンクの挿入方向に沿って並んでいる。又、これら各空間に、それぞれイエローのインクを吸収して保持するインク吸収体４４Ｙ、マゼンタのインクを吸収して保持するインク吸収体４４Ｍ、及びシアンのインクを吸収して保持するインク吸収体４４Ｃが収納されている。又、負圧発生部材であるインク吸収体４４Ｙ、インク吸収体４４Ｍ、インク吸収体４４Ｃ内に収容されているインクは、インクの液面Ｌで示されるように、夫々のインク吸収体の上部まで存在している。
【００７９】
《インクジェット記録方法》
本発明のインクジェット記録方法は、本発明のインクを記録信号に応じてオリフィスから吐出させて記録媒体上に記録を行うことを特徴とする。本発明のインクは、特に、インクに熱エネルギーを作用させて記録媒体に記録を行うインクジェット記録方法に好ましく使用できる。
【実施例】
【００８０】
以下、実施例を挙げて本説明を更に具体的に説明するが、本発明は以下の実施例に限定されるものではない。尚、文中「部」及び「％」とあるのは特に断りのない限り質量基準である。
【００８１】
［実施例１〜６及び比較例１〜３］
（インクの調製）
下記表１に示すような処方でインクを調製し、それぞれ０．２μｍのメンブランフィルターで加圧ろ過した後、下記表１に記載の実施例１〜６及び比較例１〜３のインクを得た。又、特に指定がない限り、実施例、比較例のインク成分は質量％を意味する。尚、比較化合物１として、以下の構造の化合物を使用した。
【００８２】
2008094898.tif 000027
【００８３】
2008094898.tif 000028
【００８４】
（インクの評価）
上記で調製した各インクを用い、下記の装置を用いて印字して、後述するようにしてインクの評価を行った。印字は、熱エネルギーを利用してインク滴を吐出するサーマルインクジェットプリンタ（商品名：ＰＩＸＵＳ  ｉＰ８６００；キヤノン製）を用いて行った。この際に、図１に示した構造を有するインクカートリッジのインクタンクに各インクを充填し、このインクタンクを用いて印字を行った。そして、以下に述べる種々の試験を行った。
【００８５】
＜発色性＞
温度２３℃、相対湿度５５％の条件下、記録媒体（商品名：ＰＲ−１０１；キヤノン製）に、記録密度４，８００ｄｐｉ×２，４００ｄｐｉで吐出量を２．５ｐｌとして、１００％ｄｕｔｙで印字した。印字物の反射濃度をＳｐｅｃｔｏｒｏｌｉｎｏ（ＧｒｅｔａｇＭａｃｂｅｔｈ製）を用いて測定した。評価基準は以下の通りであり、結果は、表２に示した。尚、基準としたマゼンタ染料単色とは、色材として前記の実施例に用いられているそれぞれのキサンテン染料のみ３．５部を用いた以外は比較例３のインクと同様のインクを用いた場合を意味する。即ち、このマゼンタ染料のみのインクを用いて得られた印字物の反射濃度と、各インクを用いて得られた印字物の反射濃度との差（ΔＣ）で評価を行った。
【００８６】
（評価基準）
ＡＡ：マゼンタ染料単色と比較して、ΔＣ≧１．５
Ａ：マゼンタ染料単色と比較して、１．５＞ΔＣ≧１．０
Ｂ：マゼンタ染料単色と比較して、１．０＞ΔＣ≧０．５
Ｃ：マゼンタ染料単色と比較して、０．５＞ΔＣ≧０
Ｄ：マゼンタ染料単色と比較して、ΔＣ＜０
【００８７】
＜耐光性＞
各インクを用い、温度２３℃、相対湿度５５％の条件下、記録媒体（商品名：ＰＲ−１０１；キヤノン製）に記録密度４，８００ｄｐｉ×２，４００ｄｐｉで吐出量を２．５ｐｌとして、５０％ｄｕｔｙで印字した。その後、温度２３℃、相対湿度５５％の条件下で２４時間自然乾燥させ、キセノン試験装置（商品名：ＸＬ−７５０（スガ試験機製））に投入し、温度２４℃、湿度６０％の条件下、１００ｋｌｘの雰囲気下に１６８時間曝露した。先ず、印字物の反射濃度を、Ｓｐｅｃｔｏｒｏｌｉｎｏ（ＧｒｅｔａｇＭａｃｂｅｔｈ製）を用いて試験前後でそれぞれ測定した。次に得られた反射濃度を用いて、試験後の濃度残存率（（曝露後の反射濃度／曝露前の反射濃度）×１００［％］）を算出して評価を行った。そして、以下の評価基準で評価し、結果を表２に示した。
【００８８】
（評価基準）
ＡＡ：濃度残存率が７０％以上
Ａ：濃度残存率が６０％以上７０％未満
Ｂ：濃度残存率が５０％以上６０％未満
Ｃ：濃度残存率が４０％以上５０％未満
Ｄ：濃度残存率が４０％未満
【００８９】
2008094898.tif 000029
【図面の簡単な説明】
【００９０】
【図１】本発明のインクを用いて記録を行うのに好適なインクカートリッジである液体収納容器の概略説明図である。
【図２】本発明のインクを用いて記録を行うのに好適なインクカートリッジである液体収納容器の概略説明図である。
【図１】
2008094898.tif 000033
【図２】
2008094898.tif 000034